(57)【要約】【課題】オフセット印刷、インクジェット記録、電子写真記録、の各記録方式において、従来各専用用紙とほぼ同様の記録的性を示す多目的記録用紙を提供する。【解決手段】支持体の少なくとも一方の面に、平均二次粒子径が０．１〜５．０μｍの凝集軽質炭酸カルシウムを２０〜１００重量部含む顔料１００重量部に対して結着剤５〜２５重量部、カチオン性高分子５〜３０重量部含む塗工液を、１〜２５ｇ／ｍ２塗工してなる多目的記録用紙により解決される。【選択図】なし【特許請求の範囲】
【請求項１】
支持体の少なくとも一方の面に、
平均二次粒子径が０．１〜５．０μｍの凝集軽質炭酸カルシウムを２０〜１００重量部含む顔料１００重量部に対して、結着剤５〜２５重量部、カチオン性高分子５〜３０重量部を含む塗工液を、
１〜２５ｇ／ｍ２塗工してなることを特徴とする多目的記録用紙。
【請求項２】
前記顔料が、前記凝集軽質炭酸カルシウム以外の平均一次粒子径１．０μｍ以下の顔料を２０〜８０重量部含むものである請求項１記載の多目的記録用紙。
【請求項３】
前記凝集軽質炭酸カルシウムが、アラゴナイト型またはカルサイト型の軽質炭酸カルシウムが凝集したものである請求項１または２記載の多目的記録用紙。
【請求項４】
前記カチオン性高分子として、含窒素水溶性高分子を含む請求項１〜３の何れか１項に記載の多目的記録用紙。
【請求項５】
ＪＩＳ  Ｐ  ８１４２に規定される光沢度が３０％以下である請求項１〜４の何れか１項に記載の多目的記録用紙。
【発明の詳細な説明】
【０００１】
【発明の属する技術分野】
本発明は、オフセット印刷、インクジェット記録、電子写真記録の各記録方式に対して好適な印刷適性を有する多目的記録用紙に関する。
【０００２】
【従来の技術】
インクジェット記録に適するインクジェット記録用紙、オフセット印刷に適するオフセット印刷用紙、電子写真方式の記録に適する電子写真記録用紙など、それぞれの記録方法に特化した種々の記録用紙が存在している。
【０００３】
しかし、近年、インクジェット記録用紙、電子写真方式の記録装置は、一般的なオフィスや家庭に至るまで広く普及し、両記録方式に適する記録用紙が求められている。また、予めオフセット印刷で下地や模様が印刷された紙にインクジェット記録装置あるいは電子写真記録装置で記録することも望まれている。
【０００４】
一方で印刷業界においても、オフセット印刷とインクジェット記録の記録方式の利点を利用して、これらを組み合わせて多様な色彩、画像、図形、文字等を記録した情報記録を提供できるようにすることが望まれている。
【０００５】
【特許文献】
特開２００１−３０６１９
【特許文献】
特表平１１−５０１８７９
【０００６】
【発明が解決しようとする課題】
しかしながら、オフセット印刷用紙は、印刷時にブランケットに紙表面が付着して剥離しないように表面強度を高く形成する必要があるのに対し、インクジェット記録用紙はインク受容性を高めるためインク受容層を表面に形成する必要があり必然的に表面強度を高めることが困難であった。また、電子写真記録用紙は、塗工層の剥離により感光ドラムに紙粉が付着しないように非塗工紙とするのが好ましいとされている。他方で、オフセット印刷においては油性インクを用いることから、紙表面の撥水性を高くする必要があるのに対し、インクジェット記録においては水性インクが用いられることから、水性インクの吸収性を高くする必要がある。
【０００７】
このように、オフセット印刷用紙、インクジェット記録用紙、電子写真記録用紙に要求される紙の特性はそれぞれ異なり、各記録方式すべてにおいて満足できる記録性を有する紙を形成することは非常に困難であった。
【０００８】
そこで、本発明の主たる課題は、インクジェット記録性、オフセット印刷、電子写真記録の各記録方式において満足できる記録性を有する多目的記録用紙を提供することにある。
【０００９】
【課題を解決するための手段】
上記課題を解決した本発明およびその作用効果は次記のとおりである。
＜請求項１記載の発明＞
支持体の少なくとも一方の面に、
平均二次粒子径が０．１〜５．０μｍの凝集軽質炭酸カルシウムを２０〜１００重量部含む顔料１００重量部に対して、結着剤５〜２５重量部、カチオン性高分子５〜３０重量部を含む塗工液を、
１〜２５ｇ／ｍ２塗工してなることを特徴とする多目的記録用紙。
【００１０】
＜請求項２記載の発明＞
前記顔料が、前記凝集軽質炭酸カルシウム以外の平均一次粒子径１．０μｍ以下の顔料を２０〜８０重量部含むものである請求項１記載の多目的記録用紙。
【００１１】
＜請求項３記載の発明＞
前記凝集軽質炭酸カルシウムが、アラゴナイト型またはカルサイト型の軽質炭酸カルシウムが凝集したものである請求項１または２記載の多目的記録用紙。
【００１２】
＜請求項４記載の発明＞
前記カチオン性高分子として、含窒素水溶性高分子を含む請求項１〜３の何れか１項に記載の多目的記録用紙。
【００１３】
＜請求項５記載の発明＞
ＪＩＳ  Ｐ  ８１４２に規定される光沢度が３０％以下である請求項１〜４の何れか１項に記載の多目的記録用紙。
【００１４】
（作用効果）
本発明に従って、支持体の少なくとも一方の面に、平均二次粒子径が０．１〜５．０μｍの凝集軽質炭酸カルシウムを２０〜１００重量部含む顔料１００重量部に対して結着剤５〜２５重量部、カチオン性高分子５〜３０重量部含む塗工液を、１〜２５ｇ／ｍ２塗工して印刷用紙を形成すると、油性インクを用いるオフセット印刷では、炭酸カルシウムの撥水性作用により好適な印刷結果が得られる。他方で、本発明に用いる炭酸カルシウムは凝集構造をとるものであるので、水性インクを用いるインクジェットインクは、前記凝集構造内に水分が取り込まれて保持されるので、印刷の滲みが少なくインク吸収性にすぐれたものとなる。そして、カチオン性高分子の作用とも相まって、インク吸収性、定着性等について、従来のインクジェット記録用紙に何ら劣ることのない画像品質を示す。そして、結着剤量に対する、炭酸カルシウムおよびカチオン性高分子の配合量を上記範囲に定めたことにより、結着剤の結着力が効果的に作用して、紙の表面強度が低下せず、オフセット印刷および電子写真方式に用いることが可能となる。
【００１５】
ここで、前記顔料中に、前記凝集軽質炭酸カルシウム以外の平均一次粒子径１．０μｍ以下の顔料成分を２０〜８０重量部含むものとするのが好適である。また、インク吸収性およびオフセット印刷適性については、前記凝集軽質炭酸カルシウムが、カルサイト型あるいはアラゴナイト型の軽質炭酸カルシウムが凝集したものであると、より優れた効果を奏し、カチオン性高分子のなかでも含窒素水溶性高分子を用いると、インクジェット用インクとの親和性の高さから、よりインクジェット用インクの吸収性、定着性がよいものとなる。
【００１６】
また、光沢度を上記範囲とすると、塗工層中の空隙のつぶれが少なくなることから、オフセット印刷時の油性インクの沈みによる印刷濃度の低下が抑制されるとともに、インクジェット記録により印字した際ににじみがなく少なくなる。
【００１７】
【発明の実施の形態】
次いで、本発明の実施の形態を以下に詳述する。
本実施の形態に係る多目的記録用紙は、支持体の少なくとも一方の面に、平均二次粒子径が０．１〜５．０μｍの凝集軽質炭酸カルシウムを２０〜１００重量部、好ましくは２０〜８０重量部含む顔料１００重量部に対して結着剤５〜２５重量部、カチオン性高分子５〜３０重量部含む塗工液を、１〜２５ｇ／ｍ２塗工してなる、ことを特徴とする多目的記録用紙である。
【００１８】
前記支持体としては、特に限定されず。従来塗工紙の形成に用いられる既知の紙あるいはフィルムシートを用いることができる。支持体の坪量については特に限定はないが、塗工層と支持体との接着性に優れるパルプ等を原料とした一般の印刷用紙に用いられる坪量４０〜３００ｇ／ｍ２の紙を支持体とするのが好適である。抄紙方法については特に限定されず、酸性抄紙、アルカリ性抄紙いずれであってもよい。また、この場合、基紙の原料パルプは特に限定されない。既知のＫＰ、ＴＣＦ、ＥＣＦのような化学パルプ、ＰＧＷ、ＳＧＰ、ＲＧＰ、ＢＣＴＭＰ、ＣＴＭＰ等の機械パルプ、脱墨パルプ、古紙パルプ、あるいはケナフ、竹、麻、藁等由来の非木材パルプ等とすることができる。これらのパルプは単独で用いてもよく、２種以上を混合して用いてもよい。
【００１９】
前記顔料としては、前記平均二次粒子径が０．１〜５．０μｍ、好適には０．２〜４．０μｍ、特に好適には０．５〜３．５μｍの凝集軽質炭酸カルシウムを用いる。ここで、本発明における平均二次粒子径は、粒度分布の重量５０％径である。
【００２０】
前記凝集軽質炭酸カルシウムは、特には、アラゴナイト型またはカルサイト型の炭酸カルシウムが凝集したものが好適である。これらの形態の軽質炭酸カルシウムが凝集するとインク吸収性の改善効果がより顕著に得られる。
【００２１】
前記顔料としては、前記凝集軽質炭酸カルシウム以外の平均一次粒子径が０．１μｍ以下の顔料成分を含むものが好ましく、この場合には、前記全顔料１００重量部中に平均一次粒子径１．０μｍ以下の顔料を２０〜８０重量部の範囲で含むようにするのが好適である。２０重量部未満であると表面強度が弱くなりやすく、オフセット印刷適性、電子写真記録適性を保持させるのが困難となり、８０重量部を超えるとインク吸収性が悪くなりやすく、インクジェット適性を保持させるのが困難となる。
【００２２】
この凝集軽質炭酸カルシウム以外の平均一次粒子径１μｍ以下の顔料の種類は特に限定されるものではないが、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム、多孔性合成非晶質シリカ、多孔性炭酸マグネシウム、多孔性アルミナ等の白色無機顔料、スチレン系プラスチックピグメント、アクリル系プラスチックピグメント、ポリエチレン、マイクロカプセル、尿素樹脂、メラミン樹脂等の有機顔料等が挙げられる。なかでも、多孔性の無機顔料である、多孔性合成非晶質シリカ、多孔性炭酸マグネシウム、多孔性アルミナ等が挙げられる。
【００２３】
前記結着剤としては、従来既知のものが問題なく使用できる。特には、接着強度が高い一般コート紙の結着剤として使用されるラテックス、またはインクジェット記録に用いる水性インクの吸収性を阻害しにくい水溶性結着剤を用いるのが望ましい。前記結着剤としては、スチレン−ブタジエン系共重合体、メチルメタクリレート、アクリロニトリル、アクリル、ポリビニルアルコール、酢酸ビニル、酸化澱粉、エステル化澱粉、エーテル化澱粉、カルボキシメチルセルロースやヒドロキシエチルセルロースなどのセルロース誘導体、カゼイン、ゼラチン、大豆蛋白などが挙げられる。
【００２４】
全顔料１００重量部に対する結着剤量が５重量部未満であると、表面強度が低下してオフセット印刷適性に劣るようになり（紙ムケが生ずるようになる）、２５重量部を超えると結着剤が塗工層表面近傍で皮膜化するため、インクジェット記録適性（インク吸収性）を阻害するようになる。
【００２５】
前記カチオン性高分子としては、従来既知のものが問題なく使用できるが、好適には、含窒素水溶性高分子であり、具体例としては、水に溶解したときに解離してカチオン性を呈する１級〜３級アミンまたは４級アンモニウム塩のモノマー、オリゴマー、ポリマーが挙げられる。
【００２６】
全顔料１００重量部に対するカチオン性高分子量が５重量部未満または３０重量部を超えると、インクジェット記録性適性が劣るようになる（印字にじみが大きくなる）。
【００２７】
本実施の形態に係る塗工層を設けるにあたっては、従来既知の塗工機を用いることが可能である。塗工機の具体例としては、ブレードコーター、エアーナイフコーター、ロールコーター、ブラシコーター、カーテンコーター、バーコーター、グラビアコーター、サイズプレスコーターなどが挙げられる。
【００２８】
前記インク受容層の塗工量は、１〜２５ｇ／ｍ２とするのが好ましい。１ｇ／ｍ２未満であると、インク受容性が低下してインクジェット記録性に劣るようになり、２５ｇ／ｍ２を超えると表面強度が弱くなりオフセット印刷適性および電子写真記録適性が低下する。
【００２９】
塗工後には、従来既知のカレンダー装置を用いて、カレンダー処理をすることができる。好適には、カレンダー圧を調整して、ＪＩＳ  Ｐ  ８７４１に規定される光沢度が３０％以下とする。
【００３０】
本発明にかかる多目的用紙に記録するにあたっては、従来既知のインクジェット記録装置、オフセット印刷機、電子写真記録装置を用いることができる。
【００３１】
インクジェット記録をするにあたっては、従来既知の水性インクを用いることができるが、好適には、アニオン系水性インクを用いて記録するのが望ましい。
【００３２】
アニオン系水性インクは、着色剤、液媒体、その他の添加剤からなる一般的なものでよく、着色剤として、例えば、直接染料、酸性染料、塩基性染料、反応性染料或は食品用色素等の水溶性染料を用い、液媒体として、水及び水溶性の各種有機溶剤、例えば、メチルアルコール、エチルアルコール、ｎ−プロピルアルコール、イソプロピルアルコール、ｎ−ブチルアルコール、  ｓｅｃ−ブチルアルコール、ｔｅｒｔ−ブチルアルコール、イソブチルアルコール等の炭素数１  〜４  のアルキルアルコール類；ジメチルホルムアミド、ジメチルアセトアミド等のアミド類；アセトン、ジアセトンアルコール等のケトン又はケトンアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個のアルキレングリコール類；グリセリン、エチレングリコールメチルエーテル、ジエチレングリコールメチル（又はエチル）エーテル、トリエチレングリコールモノメチルエーテル等の多価アルコールの低級アルキルエーテル類等を用いたものでよい。
【００３３】
他方、オフセット印刷をするにあたっては、従来既知のオフセット枚葉印刷、オフセット輪転印刷に用いられている従来既知の酸化重合インキ、紫外線硬化型インキ等を用いることができる。具体例としては、酸化チタン、炭酸カルシウムなどの無機顔料、アゾ顔料などの有機顔料、カーボンブラックなどの顔料と、アマニ油、大豆油などの植物油、ロジン変性フェノール樹脂、石油樹脂、石油系溶剤、高級アルコール系溶剤などのビヒクルと、ポリエチレンワックス、Ｍｎ脂肪酸塩、Ｃｏ脂肪酸塩、裏移り防止材、乳化防止剤、汚れ防止剤などの補助剤を用いたものが挙げられる。
【００３４】
他方、電子写真記録するにあたっては、磁性あるいは非磁性の乾式現像法、湿式現像法、静電潜像法などを採用する各種の従来既知の電子写真記録装置を用いることができ、また、これらの各方法を採用する装置に適したマイクロカプセルトナー等の従来既知のトナーを用いることができる。
【００３５】
＜実施例＞
次いで、本発明に係る塗工層を設けた塗工紙（実施例１〜１２）と、従来インクジェット記録用紙、従来オフセット印刷用紙、従来非塗工紙（従来例１〜３）、および本発明にかかる塗工層を有さない塗工紙（比較例１〜１０）についての、異なる印刷方法における印刷適性を測定した。塗工層の構成については、結果とともに表１および２に示す。なお、測定の詳細は次記のとおりである。
【００３６】
（インクジェット記録適性（インク吸収性））
インクジェットプリンター（ＰＭ−９７０Ｃ：エプソン社製）を用いて、温度２３℃、湿度５０％の条件下で、シアン、マゼンタ、イエローの各色の重ね色で構成される赤、緑、青を背景色としてＭＳ明朝、８ポイントで「大王製紙」の白抜き文字を印刷し、文字のにじみ具合を目視にて観察した。評価は、にじみがまったく見られないものを◎、文字判別に問題ない程度の若干のにじみがみられるものを○、文字が不鮮明となるほどにじみがみられたものを△、文字判別が困難なほどのにじみがみられたものを×とした。
【００３７】
（オフセット印刷適性）
オフセット印刷機（枚葉印刷機：ローランド社製）を用いて、第１色目を藍色（ＶＡＬＵＥＳ−Ｇ  Ｎタイプ  藍：大日本インキ社製）、第２色目を紅色（ＶＡＬＵＥＳ−Ｇ  Ｎタイプ  紅：大日本インキ社製）、２色重ね刷りを３０００枚連続で行った。なお、湿し水は、大日精化社のＷＥＢＦＯＵＮＴ  ＳＥＶＥＮＳＴＡＲ  ２％を用いた。
【００３８】
評価は、直径０．５ｍｍ以上の紙ムケの箇所が目視で、確認できなかったものを◎、０〜５箇所確認できたものを○、１０〜１００箇所確認できたものを△、１００箇所以上確認できたものを×とした。なお、紙ムケとは、印刷時に紙表面層がブランケット側に付着して剥離され、白く抜けた部分が生ずる現象をいう。
【００３９】
（電子写真記録適性）
レーザープリンター（ＣＯＬＯＲ  ＬＡＳＥＲ  ＳＨＯＴ  ＬＢＰ−２３６０）を用いて３０００枚連続印刷を行った後、感光ドラム中央部の３００ｍｍ×３００ｍｍの範囲に付着した紙粉量を目視にて観察した。評価は、紙粉の付着が認められなかったものを◎、紙粉の付着が１箇所認められたものを○、紙粉の付着が２〜５箇所認められたものを△、紙粉の付着が５箇所以上認められたものを×とした。
【００４０】
【表１】
2005008992.tif 000002
【００４１】
【表２】
2005008992.tif 000003
【００４２】
表１および２をみてみると、オフセット印刷用紙（従来例１）は、電子写真方式の記録性にはすぐれているものの、インクジェット記録適性についてはにじみが生じて、インクジェット記録適性には劣っている。一方、従来例２（インクジェット記録用紙）は、オフセット印刷適性において劣るとともに、電子写真記録適性において粉落ちが発生して感光体の汚れが確認されている。そして、比較例１〜１０についても、何れかの項目において△または×といった結果が得られすべての記録方式に適しているとは言えない結果が得られた。
【００４３】
これらに対して本発明の実施例１〜１２については、全ての評価項目で◎あるいは○の評価が得られ、オフセット印刷適性については従来例１のオフセット印刷用紙とほぼ同等、インクジェット記録適性については従来例２のインクジェット記録用紙と同等、電子写真記録適性については従来例３の電子写真記録用紙とほぼ同等の記録適性を示している。
【００４４】
【発明の効果】
以上詳述のとおり、本発明によれば、オフセット印刷、インクジェット記録、電子写真記録、の各記録方式において、従来各専用用紙とほぼ同様の記録適性を示す多目的記録用紙が提供される。